(57)【要約】【課題】  本願は、カートリッジの挿入により自動的にシャッタの開閉を行うと共に、異音の発生やメカロック等の不具合を起こさないシャッタ開閉装置を提供する。【解決手段】  本願のシャッタ開閉装置２は、カートリッジ１０の開口部１１を介し、カートリッジ１０のシャッタ１５を開閉させるホイール１３に形成された凹部１３ｃに係合する従動体１８と、従動体１８のカートリッジ方向への移動を規制する摺動体１８ａと、を含んで構成されている。【選択図】      図７
2006344325.tif 000002
【特許請求の範囲】
【請求項１】
カートリッジの開口部を介し、前記カートリッジのシャッタを開閉させるホイールに形成された凹部に係合する従動体と、
前記従動体のカートリッジ方向への移動を規制する摺動体と、
を含んでなることを特徴とするシャッタ開閉装置。
【請求項２】
前記摺動体は、前記カートリッジの開口部側の端面に沿って摺動するとともに、当該従動体が前記カートリッジの本体との接触を回避するように前記従動体の移動を制御することを特徴とする請求項１に記載のシャッタ開閉装置。
【請求項３】
前記従動体と摺動体とは一体的に形成されていることを特徴とする請求項１、又は２に記載のシャッタ開閉装置。
【請求項４】
前記摺動体は、前記カートリッジの開口側の端面に沿って前記カートリッジと従動体との間に配置され、前記従動体の一部と摺動することを特徴とする請求項１に記載のシャッタ開閉装置。
【請求項５】
前記従動体を前記カートリッジの側に付勢する付勢手段を備えていることを特徴とする請求項１〜４のいずれか一項に記載のシャッタ開閉装置。
【請求項６】
請求項１〜５のいずれか一項に記載のシャッタ開閉装置と、
前記カートリッジ内に収納された記録媒体の情報の再生を行う再生手段と、
を備えたことを特徴とする情報再生装置。
【発明の詳細な説明】
【技術分野】
【０００１】
本願は、例えば光ディスク等の情報記録媒体を収納するためのカートリッジ等に備えられ、当該光ディスク等を保護するシャッタを開閉するためのシャッタ開閉機構を備えた記録媒体駆動装置および情報再生装置の技術分野に関する。
【背景技術】
【０００２】
従来より、上記情報記録媒体を収容しているカートリッジのシャッタ開閉機構は存在する。この従来のシャッタ開閉機構につき、図１乃至図４を用いて具体的に説明する。
【０００３】
このようなシャッタ開閉機構は、通常、上記情報記録媒体に対する情報の記録再生を行う図１に示す如き情報再生装置３０に対する上記カートリッジ３５の装填及び排出によって自動的にシャッタが開閉する機構とされている。
【０００４】
このとき、当該情報再生装置３０における筐体３１の前面には、当該カートリッジ３５がその装填・排出時に通過するカートリッジ挿入口３１ａが形成されており、更に筐体３１内の一方の側壁には、上記カートリッジ３５の情報再生装置３０に対する装填・排出時における当該情報再生装置３０に対する相対運動によってカートリッジ３５内に備えられたシャッタを開閉するためのシャッタオープナ３２が形成されている。そして、カートリッジ３５は、例えば装填（ローディング）時、上記シャッタオープナ３２に対して相対的に移動することによりカートリッジ３５内の図示しないホイールを回転させることでシャッタを開く。
【０００５】
このとき、シャッタオープナ３２は、図２に示すように、カートリッジ３５の移動方向に、ラック３３とそのラック３３の両端部に凸部３４、３４を備える。そして、この凸部３４は、図３に示すように、図示しないバネにより常時カートリッジ３５のハウジング３６側に付勢されている。
【０００６】
次に、カートリッジ３５が情報再生装置３０に装填される場合の各部の動作につき、図３を用いて説明する。なお、図３は、左から右にカートリッジ３５が装填されていく状態を示す断面平面図であり、装填されるカートリッジ３５は図３中下から上に向かう方向に装填される。そして、このカートリッジ３５の装填時の移動によるシャッタオープナ３２との相対運動により、カートリッジ３５内の図示しないシャッタが開けられる。
【０００７】
図３（ａ）乃至（ｄ）に示すように、カートリッジ３５は、装填時、まずシャッタオープナ３２の一方の凸部３４とホイール３７の外周に形成された二つの凹部３８の一方とが係合し、ホイール３７が図３中反時計方向に回転する（図３（ａ））。
【０００８】
次に、カートリッジ３５が更に移動することによるホイール３７の回転の継続に伴ってシャッタオープナ３２のラック３３とホイール３７の外周部の凹部３８間に形成されているラック３９とが噛み合いながら更に回転し（図３（ｂ）及び（ｃ））、これによりシャッタオープナ３２の他方の凸部３４がホイール３７の他方の凹部３８と係合し、シャッタオープナ３２の他方の凸部３４がカートリッジ３５の中央まで移動する（図３（ｄ））ことでシャッタの開口動作が完了する。なお、カートリッジ３５の排出（アンロード）時は、図３（ａ）乃至（ｄ）とは逆の動作が実行されシャッタの閉口動作が実行される。
【０００９】
このように、カートリッジ３５のシャッタが、排出時には閉じ、装填時には開くようなシャッタ開閉機構を備える情報再生装置が、以下の各特許文献に開示されている（特許文献１及び２）。
【特許文献１】特開２００３−１０９２８２号公報
【特許文献２】特開２００３−１１５１５７号公報
【発明の開示】
【発明が解決しようとする課題】
【００１０】
しかしながら、このような従来の手段等では、カートリッジの装填・排出の際、図４（ａ）又は（ｂ）に示すように、シャッタオープナ３２の凸部３４がカートリッジ３５のハウジング３６と衝突することになってしまい、凸部３４を跳ね上げるため、異音が生じやすいという問題があった。
【００１１】
さらに、カートリッジ３５がガタなどにより大きく位置がずれた場合、当該凸部３４とカートリッジ３５のハウジング３６が衝突することでカートリッジ３５の移動が不可能となって装填・排出のための機構全体がロックする可能性があるという問題もあった。
【００１２】
そこで、本願は上記各問題点の解決を課題の一例として為されたもので、カートリッジの挿入により自動的にシャッタの開閉を行うと共に、カートリッジの装填・排出時に異音の発生やメカロック等の不具合を起こさないシャッタ開閉装置を提供することを目的とする。
【課題を解決するための手段】
【００１３】
上記課題を解決するために、請求項１に記載のシャッタ開閉装置は、カートリッジ（１０）の開口部（１１）を介し、前記カートリッジのシャッタ（１５）を開閉させるホイール（１３）に形成された凹部（１３ｃ）に係合する従動体（１８）と、前記従動体のカートリッジ方向への移動を制御する摺動体（１８ａ）と、を含んでなることを特徴とする。
【発明を実施するための最良の形態】
【００１４】
以下、本願の最良の実施形態について、図５乃至図１２用いて詳細に説明する。図５はカートリッジの概要構成例を示す図、図６はカートリッジ本体に有する開口部の断面図、図７は情報再生装置の概要構成例を示す図、図８は従動ピンと摺動部材の一例を示す図、図９はカートリッジのシャッタ開閉機構の動作例を示す図、図１０は図９のＢ拡大図、図１１は従動ピン及び摺動部材とカートリッジとの関係を示し、図１１（ａ）は図９のＡ断面図、図１１（ｂ）は図９のＢ断面図、図１２は摺動部材の他の実施形態を示す図である。
【００１５】
なお、以下に説明する実施の形態は、光ディスクプレーヤ等の情報再生装置に対して本願を適用した場合の実施形態である。また、本発明において「情報再生装置」を一例として説明するが、本発明は後述する本発明のシャッタ開閉装置を含むものであればこれに限定されない。すなわち、本発明は情報を再生する情報再生装置に限られず、情報の記録を行う情報記録装置、さらにはこれら再生機能と記録機能とを備えた情報記録再生装置に対しても適用が可能なものである。
【００１６】
また、当該情報再生装置とは、具体的には、図５に示す後述のカートリッジ１０に収容されている情報記録媒体をターンテーブル等の回転駆動部により回転駆動させつつ、情報記録媒体に対して光ピックアップを半径方向に移動させながら映像や音声等の情報の再生を行う装置である。なお、本発明でいう「情報再生装置」とは、このような情報の再生機能に加え、情報を情報記録媒体に対して記録する記録機能を備えた情報記録再生装置を含むものとする。
【００１７】
また、この場合の情報記録媒体として具体的には、ＣＤ−ＲＯＭ（Compact Disc-Read Only Memory）、ＣＤ−ＤＡ（CD-Digital Audio）、ＣＤ−Ｒ（CD-Recordable）、ＣＤ−ＲＷ（CD-Re Recordable）、Ｖｉｄｅｏ−ＣＤ、ＣＤ−Ｇ（CD-Extended Graphics）、ＤＶＤ−ＲＯＭ（Digital Versatile Disc-ROM）、ＤＶＤ−Ｖｉｄｅｏ、ＤＶＤ−Ａｕｄｉｏ、ＤＶＤ−Ｒ、ＤＶＤ−ＲＷ、ＤＶＤ−ＲＡＭ、Ｂｌｕ−ｒａｙ  Ｄｉｓｃを含むものである。
【００１８】
先ず、図５を参照して、本願に係るカートリッジ自体の構成について説明する。
【００１９】
図５に示すように、本願に係るカートリッジ１０は、側部に後述する開口部を有するカートリッジ本体１０ａを有する。このカートリッジ本体１０ａは、図６に示すように、上部カートリッジ本体１０ｄと下部カートリッジ本体１０ｂを重ね合わせて形成されている。
【００２０】
そして、カートリッジ本体１０ａの内部には、図５に示すように、当該内部で回転可能にホイール１３が備えられ、そのホイール１３の周方向の一部がカートリッジ本体１０ａの後述する開口部１１から露出して形成されている。
【００２１】
当該カートリッジ本体１０ａの開口部１１側の端面は、図６に示すように、上部カートリッジ１０ｄと下部カートリッジ１０ｂの周縁が突接して形成される凸部１０ｅ、１０ｆを有しており、断面形状が凹部状に形成されている。また、ホイール１３がカートリッジ本体１０ａのへこんでいる部分の端面１０ｇを越えて、当該上部カートリッジ１０ｄと下部カートリッジ１０ｂの凸部１０ｅ、１０ｆの間に露出して設けられている。
【００２２】
なお、このホイール１３が本発明の駆動体として例示される。また、下部カートリッジ本体１０ｂには、カートリッジ１０自体が装填・排出される上記情報再生装置のピックアップ部が光ディスク１２にアクセスするために半径方向に所定の開口１０ｃを備える。また、ホイール１３には連結部材１４を介してシャッタ１５が備えられている。さらに、このホイール１３には、上記情報再生装置のピックアップ部が光ディスク１２にアクセスするために半径方向に所定の開口１３ｄを備える。このホイール１３の上部には、光ディスク１２が装填されている。また、シャッタ１５は、ホイール１３の回転に連動し、連結部材１４を介して開閉する。また、ホイール１３には周方向の一部に、後述するラック１６と噛合うラック１３ｂが形成されている。また、ラック１３ｂの両端部近傍には後述する従動ピン１８と係合するための凹部１３ｃが形成されている。さらに、この従動ピン１８が本発明の「従動体」として例示される。
【００２３】
すなわち、本実施例においては、上記のラック１３ｂ、従動ピン１８と凹部１３ｃなどが、情報再生装置とカートリッジ１０との係合関係を規定しているが、同様の機能を奏しえる限りにおいてこれに限られないことは言うまでもない。
【００２４】
このカートリッジ１０は、後述する情報再生装置２の開口４からトレー５によって装填・排出される。これにより、カートリッジ１０は情報再生装置２の後述する筐体の内部に備えられているラック１６や従動ピン１８等に対して相対運動する。
【００２５】
次に、本願に係る上記情報再生装置について、図７乃至図１１を用いて説明する。
【００２６】
本願に係る情報再生装置の概要構成例である図７に示すように、情報再生装置２は、偏平な直方体状の筐体２ａを備えている。この筐体２ａの前面には、光ディスクを内包するカートリッジ１０がその装填・排出時に通過する横長の開口４が形成されている。
【００２７】
一方、筐体２ａの内部には、この開口４から引き出し可能又は筐体２ａの内部に引き込み可能にトレー５が備えられている。そして、このトレー５は、カートリッジ１０を載置できる位置まで引き出されると共に光ピックアップ部により記録又は再生を行う記録又は再生位置まで引き込まれる。
【００２８】
また、図示しないが、このトレー５には駆動ユニットが接続され、更に、当該駆動ユニットにはモータ等の駆動部が取り付けられている。この駆動ユニットや駆動部は筐体２ａの内部に収容されている。
【００２９】
そして、トレー５は、この駆動ユニット等が駆動することにより筐体２ａの内部に引き込まれ、又は筐体２ａの外部に引き出される。
【００３０】
また、トレー５は、そのほぼ中央部にカートリッジ１０を載置するための凹部を有すると共に、トレー５には光ディスクから情報を読出し、又は光ディスクへ情報を書込むための開口を有する。
【００３１】
また、筐体２ａ内部の一方の側壁には、トレー５の移動方向に、カートリッジ１０のシャッタ１５を開閉するための上記従動ピン１８等の部材を支持するための支持体２７が固定に取り付けられている。この支持体２７は、ラック１６と、当該ラック１６の両端部に板バネ１７を介して設けられる上記従動ピン１８と、当該従動ピン１８の上方に当該従動ピン１８と一体的に形成されている摺動部材１８ａと、を備えている。
【００３２】
当該従動ピン１８は、ホイール１３の凹部１３ｃと係合するための凸部１８ｂを備えている。また、当該摺動部材１８ａは、カートリッジ１０に対する当該従動ピン１８の相対運動によってカートリッジ本体１０ａの側壁上部の凸部１０ｅに沿って摺動する。そして、当該摺動部材１８ａは、従動ピン１８がカートリッジ本体１０ａとの接触を回避するように当該従動ピン１８の移動を制御している。当該カートリッジ本体１０ａの凸部１０ｅと摺動する摺動部材１８ａの摺動面は、好ましくは、円弧状に形成される。これは、カートリッジ本体１０ａと接触する面積を少なくすることで、カートリッジ本体１０ａとの接触抵抗を小さくし、摺動部材１８ａがスムースに移動しつつ摺動できるとともに、摺動に係るカートリッジ本体１０ａとの摺動音を低減できるからである。
【００３３】
一方、板バネ１７は、各従動ピン１８がカートリッジ１０側に付勢されるように取り付けられる。これらにより、カートリッジ１０の装填・排出時において従動ピン１８がカートリッジ本体１０ａに接触するのを防止しつつ、当該従動ピン１８の凸部１８ｂをホイール１３の凹部１３ｃと嵌合させることができる。
【００３４】
また、図８に示すように、当該従動ピン１８の先端と摺動部材１８ａの摺動面との距離Ｓは１．５ｍｍ未満であることが好ましい。このようにすれば、カートリッジ本体１０ａに従動ピン１８が接触するのを有効に回避できる。
【００３５】
なお、筐体２ａの内部には、カートリッジ１０に収納されている光ディスク１２に対して記録或いは再生を行うための様々な機器が収納されている。
【００３６】
また、図５乃至図７において、ホイール１３は本願の駆動体の一例であり、情報再生装置は本願のカートリッジが装填される装置の一例である。更に従動ピン１８は本願の従動体の一例であり、摺動部材１８ａは本願の摺動体の一例である。また、板バネ１７は本願の付勢手段の一例である。
【００３７】
次に、カートリッジ１０のシャッタ１５を開閉するシャッタ開閉機構について、図９を用いて説明する。また、図５乃至図８に対応する部材等については同じ符号を付する。
【００３８】
先ず、図９（ａ）に示すように、カートリッジ１０がトレー５の上に載置され、トレー５が図示しない駆動部等によって情報再生装置２の内部に収納され始めると、一方（情報再生装置２の外部に近い方）の摺動部材１８ａが、カートリッジ本体１０ａの側壁に沿って摺動しつつ移動し、当該摺動部材１８ａの移動にともなって一方の従動ピン１８も移動する。次いで、図１１（ａ）に示すように、一方の従動ピン１８の凸部１８ｂがホイール１３の開口部１１から露出した一方の凹部１３ｃと係合してカートリッジ１０に対して移動し、ホイール１３を回転させる。また、摺動部材１８ａの摺動面は、カートリッジ本体１０ａの凸部１０ｅに当接し、従動ピン１８がカートリッジ側に必要以上に移動するのを防止、すなわち、従動ピン１８の凸部１８ｂがカートリッジ本体１０ａと接触するのを防止している。この後、更にトレー５が情報再生装置２の内部の奥に収納されることにより、図９（ｂ）に示すように、一方の摺動部材１８ａがカートリッジ本体１０ａの側壁に沿って摺動しつつ移動し、当該一方の従動ピン１８の凸部１８ｂが凹部１３ｃから抜け出すと共に、ホイール１３のラック１３ｂと情報再生装置２側に備えられているラック１６とが噛み合い、ホイール１３が更に回転する。この時、摺動部材１８ａの摺動面は、図１０、及び図１１（ｂ）に示すように、カートリッジ本体１０ａの凸部１０ｅに当接し、従動ピン１８の凸部１８ｂはカートリッジ本体１０ａのへこみ部分に案内されつつ、当該従動ピン１８の凸部１８ｂがカートリッジ本体１０ａに接触しないように制御されているとともに、カートリッジ１０側に必要以上に移動するのを防止している。
【００３９】
次に、図９（ｃ）に示すように、他方の摺動部材１８ａがカートリッジ本体１０ａの側壁に沿って摺動しつつ移動し、他方の従動ピン１８の凸部１８ｂがカートリッジ本体１０ａの開口部１１に案内される。
【００４０】
そして更に、トレー５が情報再生装置２の内部の奥に収納されることにより、図９（ｄ）に示すように、他方の従動ピン１８の凸部１８ｂがホイール１３の露出した他方の凹部１３ｃと係合してホイール１３が所定位置まで回転して止まる。このホイール１３の回転にともなって連結部材１４を介してシャッタ１５が開口する。その際、他方の従動ピン１８の凸部１８ｂがホイール１３の凹部１３ｃに係合しているため、ホイール１３が何らかの要因で逆回転するのを防止している。そのため、シャッタ１５の開口も全開状態で安定する。
【００４１】
一方、カートリッジ１０の排出時においてトレー５が引き出され始めると、図９（ｄ）に示すように、他方の従動ピン１８の凸部１８ｂがホイール１３の露出した他方の凹部１３ｃと係合してホイール１３を逆回転させる。
【００４２】
その後、更にトレー５が外部に引き出されることにより、図９（ｃ）に示すように、他方の摺動部材１８ａがカートリッジ本体１０ａの側壁に沿って摺動しつつ移動し、他方の従動ピン１８の凸部１８ｂが凹部１３ｃから抜け出すと共に、ホイール１３のラック１３ｂと情報再生装置２に備えられているラック１６とが噛み合いホイール１３を回転する。
【００４３】
次に、更にトレー５が外部に引き出されることにより、図９（ｂ）に示すように、一方の摺動部材１８ａはカートリッジ本体１０ａの側壁に沿って摺動しつつ移動し、一方の従動ピン１８の凸部１８ｂがカートリッジ本体１０ａの開口部１１に案内される。
【００４４】
その後更にトレー５が外部に引き出されることにより、図９（ａ）に示すように、一方の従動ピン１８の凸部１８ｂがホイール１３の露出した一方の凹部１３ｃと係合して更にホイール１３が所定位置まで逆回転して止まる。このホイール１３の逆回転にともなって連結部材１４を介してシャッタ１５が閉口する。
【００４５】
更に、トレー５が外部の引き出し位置まで完全に引き出されることにより、一方の従動ピン１８及び摺動部材１８ａがカートリッジ本体１０ａの開口部１１から待避する。
【００４６】
ここで、図示しないが、摺動部材１８ａは、外周に回転自在の回転体（例えば、ローラ等）を備えるようにしてもよい。このようにすれば、筐体２ａに対するカートリッジ１０の相対運動によって摺動部材１８ａがカートリッジ本体１０ａの側壁を移動する際に、回転体が転がりながら当該カートリッジ本体１０ａの側壁に摺動するため摩擦抵抗が低減されスムースな動作が可能となるとともに、動作音を低減できる。
【００４７】
なお、従動ピン１８は、凸部１８ｂの下方に当該摺動部材１８ａを備えるようにしても構わない。この場合には、当該摺動部材１８ａは、カートリッジ本体１０ａの下方側壁を摺動しつつ移動することとなる。また、摺動部材１８ａは、カートリッジ本体１０ａの上方、下方の両方の側壁に摺動させても良いことは言うまでもない。
【００４８】
次に、摺動部材１８ａの他の実施形態について説明する。
【００４９】
図１２に示すように、摺動部材１８ａをトレー側面に摺動させるようにしても構わない。具体的には、トレー５の一方の側部には、当該トレー５にカートリッジ１０を載置した時に、当該カートリッジ１０の開口部１１側の端面に沿って、端部体４１が備えられている。当該端部体４１は、従動ピン１８の一部が摺動するように、且つ、従動ピン１８の凸部１８ｂが、カートリッジ側に必要以上に移動しないように設けられている。この場合、端部体４１の幅は、従動ピン１８の凸部１８ｂの先端がカートリッジの側壁に接触せず、ホイール１３の凹部１３ｃに臨むように適宜設計される。
【００５０】
このようにすれば、摺動部材１８ａは、端部体４１に摺動しつつ移動するので、カートリッジ１０の装填・排出時において、従動ピン１８の凸部１８ｂがカートリッジ本体１０ａに接触するのを防止しつつ、当該従動ピン１８の凸部１８ｂをホイール１３の凹部１３ｃと嵌合させることができる。
【００５１】
上記のように、摺動部材１８ａは必ずしもカートリッジ１０の凸部１０ｅ側に摺動させる必要はなく、例えば、上述したように端部体４１をトレー５の側部に取り付け、摺動部材１８ａが、トレー５の側部に沿って形成した端部体４１に摺動しつつ移動するようにしてもよい。
【００５２】
以上説明したように、本願に係るシャッタ開閉機構としてのシャッタ開閉装置は、カートリッジ１０の開口部１１を介し、カートリッジ１０のシャッタ１５を開閉させるホイール１３に形成された凹部１３ｃに係合する従動ピン１８と、従動ピン１８のカートリッジ方向の移動を制御する摺動部材１８ａと、を含んで構成されている。
【００５３】
このようにすれば、摺動部材１８ａが、カートリッジ本体１０ａに当接し、従動ピン１８の凸部１８ｂがカートリッジ側に必要以上に移動する（カートリッジ本体１０ａと接触する）のを防止できるので、カートリッジ１０に従動ピン１８の凸部１８ｂが接触することがなくなり、異音の発生を防止できる。また、従動ピン１８の凸部１８ｂは、摺動部材１８ａによってカートリッジ本体１０ａのへこみ部分に案内されるため、カートリッジ１０と接触することなく、装填・排出時の動作が安定する。また、従動ピン１８の凸部１８ｂは、カートリッジ１０と接触しないため、カートリッジ１０がガタなどにより大きく位置がずれた場合でも装置がロックすることがない。
【００５４】
また、上記シャッタ開閉装置と、カートリッジ１０内に収納された光ディスク１２の情報の再生を行う再生手段と、を備えていてもよい。このようにすれば、カートリッジ１０のシャッタ１５を自動的に開閉して光ディスク１２を再生することが可能となる。
【００５５】
なお、上記実施形態におけるシャッタ開閉機構は、カートリッジ１０を情報再生装置２の筐体２ａ内の記録再生位置まで装填し、又はカートリッジ１０をトレー５上に載置するための引き出し位置まで排出する情報再生装置２に適用しているが、いわゆるスロットイン式の情報再生装置に適用することもできる。
【図面の簡単な説明】
【００５６】
【図１】従来のカートリッジの概要構成図である。
【図２】従来のシャッタオープナの概要構成図である。
【図３】従来のカートリッジのシャッタ開閉機構の動作図である。
【図４】従来のカートリッジのシャッタ開閉機構の動作拡大図である。
【図５】本実施形態に係るカートリッジの概要構成例を示す図である。
【図６】本実施形態に係る情報再生装置（本願の情報再生装置の一例）の概要構成例を示す図である。
【図７】情報再生装置の概要構成例を示す図である。
【図８】従動ピンと摺動部材の一例を示す図である。
【図９】カートリッジのシャッタ開閉機構の動作例を示す図である。
【図１０】図９のＢ拡大図である。
【図１１】従動ピン及び摺動部材とカートリッジとの関係を示し、図１１（ａ）は図９のＡ断面図、図１１（ｂ）は図９のＢ断面図である。
【図１２】摺動部材の他の実施形態を示す図である。
【符号の説明】
【００５７】
２    情報再生装置
１０    カートリッジ
１１    開口部
１３    ホイール
１３ｃ  凹部
１５    シャッタ
１７    板バネ
１８    従動ピン
１８ａ  摺動部材
【図１】
2006344325.tif 000003
【図２】
2006344325.tif 000004
【図３】
2006344325.tif 000005
【図４】
2006344325.tif 000006
【図５】
2006344325.tif 000007
【図６】
2006344325.tif 000008
【図７】
2006344325.tif 000009
【図８】
2006344325.tif 000010
【図９】
2006344325.tif 000011
【図１０】
2006344325.tif 000012
【図１１】
2006344325.tif 000013
【図１２】
2006344325.tif 000014